(57)【要約】【課題】複数の光学シートを確実に固定すること。【解決手段】実施形態の面状照明装置は、光を出射する出射面を有する導光板と、前記出射面側に配置される複数の光学シートと、前記出射面の有効領域を規定し、前記複数の光学シートのうち前記出射面から最も離れた光学シートにおいて前記出射面とは反対側の面に貼着される遮光シートとを備え、前記複数の光学シートのうち少なくとも前記出射面から最も離れた光学シートに切欠き部が形成され、前記遮光シートは、前記切欠き部から露出する前記光学シートと前記切欠き部が形成された前記光学シートとを覆うようにして貼り付けられる。【選択図】図２
2018098132.tif 000002
【特許請求の範囲】
【請求項１】
光を出射する出射面を有する導光板と、
前記出射面側に配置される複数の光学シートと、
前記出射面の有効領域を規定し、前記複数の光学シートのうち前記出射面から最も離れた光学シートにおいて前記出射面とは反対側の面に貼着される遮光シートと
を備え、
前記複数の光学シートのうち少なくとも前記出射面から最も離れた光学シートに切欠き部が形成され、
前記遮光シートは、
前記切欠き部から露出する前記光学シートと前記切欠き部が形成された前記光学シートとを覆うようにして貼り付けられる、
面状照明装置。
【請求項２】
前記複数の光学シートは、
第１プリズムシートと、前記第１プリズムシートの前記出射面側に配置される第２プリズムシートと
を備え、
前記切欠き部は、
前記第１プリズムシートの前記導光板の光が入射する側面側の端部に所定の間隔を空けて複数形成され、
前記遮光シートは、
前記切欠き部から露出した前記第２プリズムシートと前記切欠き部が形成された第１プリズムシートとを覆うようにして貼り付けられる、
請求項１に記載の面状照明装置。
【請求項３】
前記第２プリズムシートにおける前記導光板の光が入射する側面側の端部に所定の間隔を空けて切欠き部が複数形成され、
前記第１プリズムシートに形成された前記切欠き部には、
前記第２プリズムシートに形成された互いに隣接する前記切欠き部で挟まれた舌部が位置する、
請求項２に記載の面状照明装置。
【請求項４】
前記第１プリズムシートに形成された前記切欠き部と前記第２プリズムシートに形成された前記切欠き部とが互い違いとなるように配置される、
請求項３に記載の面状照明装置。
【請求項５】
前記第２プリズムシートと前記出射面との間に配置される拡散シートを備え、
前記第１プリズムシートは、
前記第２プリズムシートに形成された前記切欠き部に重なる部分が、前記第２プリズムシートに形成された前記切欠き部から露出した前記拡散シートに接触する、
請求項３または４に記載の面状照明装置。
【請求項６】
前記導光板は、
前記光が入射する側面と前記出射面との間に、前記有効領域に向かって前記出射面の反対側の面であって光を反射する反射面側へ傾斜する傾斜面を有する入光楔部を備え、
前記第１プリズムシートおよび前記第２プリズムシートは、
前記導光板における前記入光楔部によって窪んだ面に対応する位置に配置される、
請求項２〜５のいずれか１つに記載の面状照明装置。
【発明の詳細な説明】
【技術分野】
【０００１】
本発明は、面状照明装置に関する。
【背景技術】
【０００２】
従来、ＬＥＤ（Light  Emitting  Diode）が導光板の入光側面に配置され、導光板の出射面に複数の光学シートが配置された面状照明装置が知られている。また、かかる面状照明装置にあっては、光学シートが、導光板の出射面の有効領域を規定する遮光シートによって固定されている。
【先行技術文献】
【特許文献】
【０００３】
【特許文献１】特開２０１３−１７１７２３号公報
【発明の概要】
【発明が解決しようとする課題】
【０００４】
しかしながら、上記した従来技術に係る面状照明装置では、フレームの狭額縁化に伴い、複数の光学シートを遮光シートによって確実に固定することができない問題があった。
【０００５】
本発明は、上記に鑑みてなされたものであって、複数の光学シートを確実に固定することができる面状照明装置を提供することを目的とする。
【課題を解決するための手段】
【０００６】
上述した課題を解決し、目的を達成するために、本発明の一態様に係る面状照明装置は、光を出射する出射面を有する導光板と、前記出射面側に配置される複数の光学シートと、前記出射面の有効領域を規定し、前記複数の光学シートのうち前記出射面から最も離れた光学シートにおいて前記出射面とは反対側の面に貼着される遮光シートとを備え、前記複数の光学シートのうち少なくとも前記出射面から最も離れた光学シートに切欠き部が形成され、前記遮光シートは、前記切欠き部から露出する前記光学シートと前記切欠き部が形成された前記光学シートとを覆うようにして貼り付けられる。
【発明の効果】
【０００７】
本発明の一態様によれば、複数の光学シートを確実に固定することができる。
【図面の簡単な説明】
【０００８】
【図１】図１は、実施形態に係る面状照明装置の外観の一例を示す平面図である。
【図２】図２は、図１のＡ−Ａ線断面模式図である。
【図３】図３は、実施形態に係る上プリズムシートおよび下プリズムシートを示す平面図である。
【図４】図４は、上プリズムシートに切欠き部が形成されていない部分を通りＡ−Ａ線に平行な線の断面模式図である。
【図５】図５は、実施形態に係る面状照明装置の第１変形例を示す断面模式図である。
【図６】図６は、第１変形例に係る面状照明装置において上プリズムシートに切欠き部が形成されていない部分の断面模式図である。
【図７】図７は、実施形態に係る上プリズムシートおよび下プリズムシートの変形例を示す平面図である。
【図８】図８は、図７のＢ−Ｂ線断面部分における第２変形例に係る面状照明装置の断面模式図である。
【図９】図９は、図７のＣ−Ｃ線断面部分における第２変形例に係る面状照明装置の断面模式図である。
【図１０】図１０は、図７のＢ−Ｂ線断面部分における第３変形例に係る面状照明装置の断面模式図である。
【図１１】図１１は、図７のＣ−Ｃ線断面部分における第３変形例に係る面状照明装置の断面模式図である。
【発明を実施するための形態】
【０００９】
以下、実施形態に係る面状照明装置について図面を参照して説明する。なお、以下に示す実施形態によりこの発明が限定されるものではない。また、図面における各要素の寸法の関係、各要素の比率等は、現実と異なる場合がある。また、図面の相互間においても、互いの寸法の関係や比率が異なる部分が含まれている場合がある。
【００１０】
まず、図１および図２を用いて、実施形態に係る面状照明装置１の構成例について説明する。図１は、実施形態に係る面状照明装置１の外観の一例を示す平面図である。図２は、図１のＡ−Ａ線断面模式図である。
【００１１】
なお、図１および図２には、説明を分かりやすくするために、光が出射する側の面を正方向とするＺ軸を含む３次元の直交座標系を図示している。かかる直交座標系は、以下の説明で用いる他の図面においても示す場合がある。
【００１２】
図１に示すように、実施形態に係る面状照明装置１は、導光板４０の出射面４０ａ（図２参照）において、遮光シート２０ａ，２１で覆われていない領域である有効領域３０から光を出射する。すなわち、かかる面状照明装置１は、遮光シート２０ａ，２１によって導光板４０の出射面４０ａの有効領域３０を規定する。
【００１３】
本実施形態に係る面状照明装置１は、例えば、液晶表示装置のバックライトとして用いられる。また、かかる液晶表示装置は、例えば、スマートフォンやタブレット等の情報携帯端末において用いられる。
【００１４】
図２に示すように、面状照明装置１は、収納容器（フレーム）１０と、ＬＥＤ（Light  Emitting  Diode）１１と、ＦＰＣ（Flexible  Printed  Circuit）１２と、固定部材１３と、反射シート１４と、両面テープ１５と、連結部材１６と、光学シート１７と、両面テープ１８と、遮光シート２０ａと、遮光シート２０ｂと、導光板４０とを備える。
【００１５】
収納容器１０は、ＬＥＤ１１と、ＦＰＣ１２と、固定部材１３と、反射シート１４と、両面テープ１５と、連結部材１６と、光学シート１７と、導光板４０とを収納する。かかる収納容器１０は、底部１０ａと側壁１０ｂとを備える。
【００１６】
底部１０ａは、導光板４０の裏面４０ｂに沿って広がる部位であり、底面１０ｃを備える。かかる底面１０ｃは、第１平面１０ｃ−１と、第１平面１０ｃ−１からＺ軸負方向側に一段下がった第２平面１０ｃ−２とを備える。
【００１７】
側壁１０ｂは、導光板４０の入光側面４０ｃの長辺に沿って、底部１０ａからＺ軸正方向（光が出射する方向）側に立ち上がる部位である。
【００１８】
ＬＥＤ１１は、点状の光源であり、例えば、青色ＬＥＤと黄色蛍光体とを含む疑似白色ＬＥＤである。かかるＬＥＤ１１は、全体として略直方体状に形成され、Ｘ軸方向において対向する一対の主面１１ａ，１１ｂを有し、一方の主面（発光面）１１ａがＸ軸正方向側にある導光板４０の入光側面４０ｃに当接される。
【００１９】
本実施形態では、ＬＥＤ１１が導光板４０の入光側面４０ｃに沿ってＹ軸方向に均等な間隔で複数配置されるものとする。なお、複数のＬＥＤ１１は、必ずしも均一な間隔で配置される必要はなく、不均一な間隔で配置されてもよい。かかる複数のＬＥＤ１１は、Ｘ軸正方向側にある発光面１１ａから導光板４０の入光側面４０ｃへ向けて光を発する。なお、ＬＥＤ１１は、光源の一例である。
【００２０】
ＦＰＣ１２は、Ｘ軸方向において対向する一対の主面を有し、一方の主面がＬＥＤ１１の発光面１１ａとは反対側の他方の主面１１ｂに当接される。かかるＦＰＣ１２には、ＬＥＤ１１への給電等を行うための回路が設けられる。
【００２１】
固定部材１３は、収納容器１０における側壁１０ｂの内側面１０ｂ−１にＦＰＣ１２を固定する。かかる固定部材１３は、例えば、両面テープであり、一方の面がＦＰＣ１２の他方の主面に貼り付けられ、他方の面が内側面１０ｂ−１に貼り付けられる。
【００２２】
導光板４０は、ＬＥＤ１１からの光を導いて面状に発光させるものであり、例えば、ポリカーボネート樹脂やアクリル樹脂等の透光性材料を含む。かかる導光板４０は、Ｚ軸方向において対向する一対の主面４０ａ，４０ｂと、ＬＥＤ１１を配置する側の側面である入光側面（入光面）４０ｃと、入光側面４０ｃとは反対側の側面（図示せず）とを備える。入光側面４０ｃには、ＬＥＤ１１が発した光が入射される。
【００２３】
また、２つの主面４０ａ，４０ｂのうちＺ軸正方向側にある一方の主面４０ａは、入光側面４０ｃから入射された光（ＬＥＤ１１が発した光）が出射される出射面（発光面）である。また、Ｚ軸負方向側にある他方の主面４０ｂは、導光板４０内に入射された光が反射される反射面（裏面）である。
【００２４】
つまり、他方の主面４０ｂには、例えば、複数のドットからなる光路変更パターンが形成されており、かかる光路変更パターンによって導光板４０内を進む光の進行方向が変更されて、一方の主面４０ａから光が出射される。なお、以下の説明では、「一方の主面４０ａ」を「出射面４０ａ」と記載し、「他方の主面４０ｂ」を「反射面４０ｂ」と記載する。
【００２５】
反射シート１４は、導光板４０の反射面４０ｂに配置され、導光板４０の反射面４０ｂから漏れた光を反射して、再度、導光板４０に戻す。両面テープ１５は、反射シート１４の一部に貼り付けられ、他方の面が収納容器１０の第１平面１０ｃ−１に貼り付けられる。これにより、反射シート１４は、収納容器１０の底面１０ｃ上に固定される。
【００２６】
連結部材１６は、導光板４０の入光側面４０ｃ側の反射面４０ｂおよびＬＥＤ１１と収納容器１０の第２平面１０ｃ−２との間に配置され、導光板４０とＬＥＤ１１とを光学的かつ構造的に連結させる。具体的には、連結部材１６は、導光板４０の入光側面４０ｃとＬＥＤ１１の発光面１１ａとを連結させる。また、連結部材１６は、導光板４０の入光側面４０ｃ側の反射面４０ｂとＬＥＤ１１のＺ軸負方向側の面とを連続的に覆うように配置される。
【００２７】
かかる連結部材１６は、例えば、片面に粘着面を有する短冊状の片面テープであり、接着層（粘着剤）１６ａおよび基材１６ｂを含む。基材１６ｂは、例えば、ＰＥＴ（Polyethylene  Terephthalate）であり、接着層１６ａは、例えば、シリコンやアクリルである。これにより、連結部材１６に、導光板４０の反射面４０ｂとＬＥＤ１１の下面（Ｚ軸負方向側の面）と面一に取り付けられることとなる。
【００２８】
次に、実施形態に係る面状照明装置１が備える、拡散シート１７ａ、下プリズムシート１７ｂおよび上プリズムシート１７ｃについて説明する。なお、拡散シート１７ａ、下プリズムシート１７ｂおよび上プリズムシート１７ｃは、光学シートの一例である。また、以下では、上記した拡散シート１７ａ、下プリズムシート１７ｂおよび上プリズムシート１７ｃをまとめて「光学シート１７」と記載する場合がある。
【００２９】
拡散シート１７ａは、導光板４０の出射面４０ａを覆うように配置され、出射面４０ａから出射される光を拡散する。具体的には、かかる拡散シート１７ａは、入光側面３０ｃ側の端部がＸ軸負方向側へ出射面４０ａに沿って伸びており、伸びた部分がＬＥＤ１１の上面の一部を覆う。
【００３０】
下プリズムシート１７ｂは、拡散シート１７ａにおける出射面４０ａとは反対側の面を覆う。具体的には、下プリズムシート１７ｂは、拡散シート１７ａにおける出射面４０ａを覆う領域の出射面４０ａとは反対側の面を覆う。かかる下プリズムシート１７ｂは、例えば、Ｘ軸方向に向かう光をＺ軸方向に集める働きを有する。なお、下プリズムシート１７ｂは、第２プリズムシートの一例である。
【００３１】
上プリズムシート１７ｃは、下プリズムシート１７ｂにおける出射面４０ａとは反対側の面を覆う。具体的には、上プリズムシート１７ｃは、下プリズムシート１７ｂにおける拡散シート１７ａを覆う領域の出射面４０ａとは反対側の面を覆う。かかる上プリズムシート１７ｃは、例えば、Ｙ軸方向に向かう光をＺ軸方向に集める働きを有する。なお、上プリズムシート１７ｃは、第１プリズムシートの一例である。
【００３２】
ここで、従来の面状照明装置について説明する。従来の面状照明装置では、導光板の出射面側から拡散シートと下プリズムシートと上プリズムシートとをこの順に導光板の出射面に配置されていた。かかる場合、フレームの狭額縁化に伴い、上プリズムシートに遮光シートを貼着させて光学シートを固定していた。
【００３３】
しかし、かかる従来の面状照明装置では、拡散シートと上プリズムシートとの間に挟まれた下プリズムシートに遮光シートを貼り付けることができないため、装置の使用環境の変化によっては、下プリズムシートがずれるおそれがあった。
【００３４】
また、下プリズムシートと上プリズムシートとを階段状に積層することで、下プリズムシートと上プリズムシートとを遮光シートで固定することが可能であるが、フレームの狭額縁化により、上プリズムシートにおける遮光シートの固定面積が小さくなるおそれがあった。
【００３５】
そこで、図２に示すように、実施形態に係る面状照明装置１では、光学シート１７のうち上プリズムシート１７ｃの導光板４０の入光側面４０ｃ側の端部に切欠き部５０を形成し、切欠き部５０から露出する下プリズムシート１７ｂに遮光シート２０ａが貼り付けられるようにした。
【００３６】
これにより、実施形態に係る面状照明装置１は、上プリズムシート１７ｃと下プリズムシート１７ｂとを遮光シート２０ａで一体的に固定することができ、光学シート１７を確実に固定することができる。
【００３７】
上記した上プリズムシート１７ｃの具体的な構成について説明する。上プリズムシート１７ｃは、切欠き部５０が、上プリズムシート１７の導光板４０の入光側面４０ｃ側の端部に所定の間隔を空けて複数形成されている。具体的に、図３を用いて説明する。図３は、実施形態に係る上プリズムシート１７ｃおよび下プリズムシート１７ｂを示す平面図である。
【００３８】
図３に示すように、上プリズムシート１７ｃは、出射面４０ａ側の面が、平面視において略方形状の下プリズムシート１７ｂにおける出射面４０ａとは反対側の面に重なるように配置される。そして、上プリズムシート１７ｃは、切欠き部５０が、上プリズムシート１７ｃの導光板４０の入光側面４０ｃ側の端部に、入光側面４０ｃに沿ってＹ軸方向に均等な間隔で複数形成される。なお、複数の切欠き部５０は、必ずしも均等な間隔で形成される必要はなく、不均一な間隔で形成されてもよい。
【００３９】
本実施形態では、平面視において矩形状の切欠き部５０が、上プリズムシート１７の導光板４０の入光側面４０ｃ側の端部に、入光側面４０ｃに沿ってＹ軸方向に均等な間隔で３つ形成されているが、この形態に限られない。
【００４０】
例えば、切欠き部５０の形状は、平面視において弧状、円状、楕円状、台形状などであってもよい。また、切欠き部５０は、１つ以上形成される。なお、切欠き部５０の数を増やすことで、各切欠き部５０のＹ軸方向の幅ｄ１は狭く設定される。つまり、切欠き部５０の数が少ないほど、各切欠き部５０のＹ軸方向の幅ｄ１は広く設定される。
【００４１】
また、各切欠き部５０のＸ軸方向の幅ｄ２は、切欠き部５０の数に関係なく一定に設定される。具体的には、切欠き部５０のＸ軸方向の幅ｄ２は、遮光シート２０ａが押圧により切欠き部５０に落ち込んで切欠き部５０から露出する下プリズムシート１７ｂに達することができる幅に設定される。
【００４２】
図２に戻り、光学シート１７を導光板４０に固定する両面テープ１８について説明する。両面テープ１８は、一方の面の一部が導光板４０の出射面４０ａの一部に貼り付けられ、他方の面が拡散シート１７ａの一部に貼り付けられる。
【００４３】
かかる両面テープ１８は、導光板４０と拡散シート１７ａとの間に配置されることで、入光側面４０ｃ側の拡散シート１７ａと下プリズムシート１７ｂと上プリズムシート１７ｃとをＺ軸正方向側に盛り上げている。
【００４４】
つまり、両面テープ１８は、拡散シート１７ａと下プリズムシート１７ｂと上プリズムシート１７ｃとを盛り上げることによって、下プリズムシート１７ｂおよび上プリズムシート１７ｃが遮光シート２０ａに貼り付けられる高さ位置を調整している。
【００４５】
次に、入光側面４０ｃ側の光学シート１７を固定する遮光シート２０ａと収納容器１０の側壁１０ｂおよびＦＰＣ１２の上面を覆う遮光シート２０ｂとについて説明する。遮光シート２０ａは、ＬＥＤ１１のＹ軸方向に沿う面に対向する側壁１０ｂの上端面１０ｂ−２からＬＥＤ１１の上面の一部にわたってＬＥＤ１１のＹ軸方向の幅方向を覆う。
【００４６】
かかる遮光シート２０ａは、例えば、両面に粘着面を有する両面テープであり、Ｚ軸負方向側の一方の粘着面が遮光シート２０ｂ、下プリズムシート１７ｂおよび上プリズムシート１７ｃに貼り付けられ、Ｚ軸正方向側の他方の粘着面が液晶表示装置に貼り付けられる。
【００４７】
具体的には、遮光シート２０ａにおけるＺ軸負方向側の一方の粘着面は、切欠き部５０から露出する下プリズムシート１７ｂと上プリズムシート１７ｃにおける切欠き部５０の周辺領域とに貼り付けられる。これにより、上プリズムシート１７ｃと下プリズムシート１７ｂとは、遮光シート２０ａによって一体的に固定される。
【００４８】
遮光シート２０ｂは、ＬＥＤ１１のＹ軸方向に沿う面に対向する側壁１０ｂの外側面からＦＰＣ１２の上面にわたって側壁１０ｂの外側面およびＦＰＣ１２をＹ軸方向の幅方向に覆う。
【００４９】
かかる遮光シート２０ｂは、例えば、一方の面に粘着面を有する片面テープであり、粘着面が側壁１０ｂの外側面および上端面１０ｂ−２に貼り付けられる。これにより、側壁１０ｂの外側面には、粘着面が外部に露出しないようにすることができ、面状照明装置１のハンドリングを良くすることができる。
【００５０】
図２は、面状照明装置１において、上プリズムシート１７ｃに切欠き部５０が形成されている部分の断面模式図であるが、上プリズムシート１７ｃに切欠き部５０が形成されていない部分の断面模式図を図４に示しておく。
【００５１】
図４は、上プリズムシート１７ｃに切欠き部５０が形成されていない部分を通りＡ−Ａ線に平行な線の断面模式図である。なお、図２に示す構成要素と同様の機能を有する構成要素については、図２に示す符号と同一の符号を示すことにより、その説明を省略する。また、図４は、説明に必要な部分以外の部分を省略している。
【００５２】
図４に示すように、遮光シート２０ａにおけるＺ軸負方向側の一方の粘着面は、両面テープ１８によって盛り上がっている上プリズムシート１７ｃの上面に貼り付けられる。
【００５３】
すなわち、遮光シート２０ａは、切欠き部５０が形成されている箇所が窪み、切欠き部５０が形成されていない箇所が平らになる。
【００５４】
上述したように、実施形態に係る面状照明装置１では、光学シート１７の上プリズムシート１７ｃにおいて、上プリズムシート１７ｃの導光板４０の入光側面４０ｃ側の端部に切り欠き部５０が形成される。かかる切欠き部５０によって上プリズムシート１７ｃと遮光シート２０ａとの接着面積を確保しつつ、遮光シート２０ａと下プリズムシート１７ｂとの固定を行う。
【００５５】
そして、実施形態に係る面状照明装置１では、遮光シート２０ａが、切欠き部５０から露出する下プリズムシート１７ｂと切欠き部５０が形成された上プリズムシート１７ｃとを覆うようにして貼り付けられる。
【００５６】
これにより、実施形態に係る面状照明装置１では、遮光シート２０ａによって上プリズムシート１７ｃと下プリズムシート１７ｂとを一体的に固定することができるため、装置の使用環境の変化によって下プリズムシート１７ｂがずれるおそれがない。
【００５７】
つまり、実施形態に係る面状照明装置１では、上プリズムシート１７ｃと下プリズムシート１７ｂとが遮光シート２０ａによって固定され、拡散シート１７ａが両面テープ１８によって固定されるため、光学シート１７を確実に固定することができる。
【００５８】
次に、図５を用いて、実施形態に係る面状照明装置１の変形例について説明する。図５は、実施形態に係る面状照明装置１の第１変形例を示す断面模式図である。なお、図２に示す構成要素と同様の機能を有する構成要素については、図２に示す符号と同一の符号を示すことにより、その説明を省略する。
【００５９】
図５に示すように、第１変形例に係る面状照明装置１ａにあっては、導光板４０において、ＬＥＤ１１が配置される入光側面４０ｃと出射面４０ａとの間に、有効領域３０に向かって反射面４０ｂ側へ傾斜する傾斜面４０ｄを有する入光楔部４１を備えるようにした。
【００６０】
この第１変形例では、拡散シート１７ａにおける入光側面４０ｃ側の端部が、出射面４０ａから傾斜面４０ｄに沿って入光側面４０ｃを越えて伸び、遮光シート２０ａに貼り付けられる。
【００６１】
また、下プリズムシート１７ｂは、拡散シート１７ａにおける出射面４０ａを覆う領域の出射面４０ａとは反対側の面を覆い、上プリズムシート１７ｃは、下プリズムシート１７ｂにおける拡散シート１７ａを覆う領域の出射面４０ａとは反対側の面を覆う。
【００６２】
つまり、下プリズムシート１７ｂと上プリズムシート１７ｃとは、導光板４０の入光楔部４１によって窪んだ面に対応する位置に配置される。
【００６３】
これにより、切欠き部５０が形成された上プリズムシート１７ｃは、両面テープ１８によってＺ軸正方向側へ盛り上げられた部分の拡散シート１７ａと高さ位置が略同じになる。
【００６４】
そして、遮光シート２０ａは、Ｚ軸負方向側の一方の粘着面が側壁１０ｂの上端面１０ｂ−２、拡散シート１７ａ，下プリズムシート１７ｂおよび上プリズムシート１７ｃに貼り付けられる。
【００６５】
具体的には、遮光シート２０ａにおけるＺ軸負方向側の一方の粘着面は、両面テープ１８によってＺ軸正方向側へ盛り上げられた部分の拡散シート１７ａと切欠き部５０から露出する下プリズムシート１７ｂと上プリズムシート１７ｃにおける切欠き部５０の周辺領域とに貼り付けられる。これにより、拡散シート１７ａと上プリズムシート１７ｃと下プリズムシート１７ｂとは、遮光シート２０ａによって一体的に固定される。
【００６６】
図５は、面状照明装置１ａにおいて、上プリズムシート１７ｃに切欠き部５０が形成されている部分の断面模式図であるが、上プリズムシート１７ｃに切欠き部５０が形成されていない部分の断面模式図を図６に示しておく。
【００６７】
図６は、第１変形例に係る面状照明装置１ａにおいて上プリズムシート１７ｃに切欠き部５０が形成されていない部分の断面模式図である。なお、図５に示す構成要素と同様の機能を有する構成要素については、図５に示す符号と同一の符号を示すことにより、その説明を省略する。また、図６は、説明に必要な部分以外の部分を省略している。
【００６８】
図６に示すように、遮光シート２０ａにおけるＺ軸負方向側の一方の粘着面は、両面テープ１８によって盛り上がっている拡散シート１７ａの上面と上プリズムシート１７ｃの上面に面一で貼り付けられる。
【００６９】
すなわち、遮光シート２０ａは、切欠き部５０が形成されている箇所が窪み、切欠き部５０が形成されていない箇所が平らになる。
【００７０】
上述したように、第１変形例に係る面状照明装置１ａでは、下プリズムシート１７ｂと上プリズムシート１７ｃとが、導光板４０の入光楔部４１によって窪んだ面に対応する位置に配置される。
【００７１】
そして、第１変形例に係る面状照明装置１ａでは、遮光シート２０ａが、両面テープ１８によってＺ軸正方向側へ盛り上げられた部分の拡散シート１７ａと切欠き部５０から露出する下プリズムシート１７ｂと切欠き部５０が形成された上プリズムシート１７ｃとを覆うようにして貼り付けられる。
【００７２】
これにより、第１変形例に係る面状照明装置１ａでは、遮光シート２０ａによって拡散シート１７ａと上プリズムシート１７ｃと下プリズムシート１７ｂとを一体的に固定することができるため、装置の使用環境の変化によって下プリズムシート１７ｂがずれるおそれがない。
【００７３】
したがって、第１変形例に係る面状照明装置１ａでは、上プリズムシート１７ｃと下プリズムシート１７ｂとが遮光シート２０ａによって固定され、拡散シート１７ａが両面テープ１８と遮光シート２０ａによって固定されるため、光学シート１７を確実に固定することができる。
【００７４】
また、第１変形例に係る面状照明装置１ａでは、下プリズムシート１７ｂと上プリズムシート１７ｃとが、導光板４０の入光楔部４１によって窪んだ面に対応する位置に配置されるため、装置の薄型化を図ることができる。
【００７５】
次に、図７を用いて、上プリズムシート１７ｃおよび下プリズムシート１７ｂの変形例について説明する。図７は、実施形態に係る上プリズムシート１７ｃおよび下プリズムシート１７ｂの変形例を示す平面図である。なお、図３に示す構成要素と同様の機能を有する構成要素については、図３に示す符号と同一の符号を示すことにより、その説明を省略する。また、図７において、入光側面４０ｃ側の遮光シート２０ａの配置位置を破線で示している。
【００７６】
図７に示すように、かかる変形例では、下プリズムシート１７ｂにおいても、切欠き部５１が、下プリズムシート１７ｂの導光板４０の入光側面４０ｃ側の端部に、入光側面４０ｃに沿ってＹ軸方向に均等な間隔で複数形成される。
【００７７】
そして、上プリズムシート１７ｃに形成された切欠き部５０は、下プリズムシート１７ｂに形成された互いに隣接する切欠き部５１で挟まれた舌部６０が位置する。つまり、上プリズムシート１７ｃに形成された切欠き部５０で挟まれた舌部６１と下プリズムシート１７ｂに形成された舌部６０とが互い違いとなる。
【００７８】
より具体的には、上プリズムシート１７ｃの切欠き部５０の位置と、下プリズムシート１７ｂの切欠き部５１の位置とが互い違いになるように、言い換えると、切欠きによって各シート１７ｂ，１７ｃに形成される凸部が互いに相補的な関係になるように、下プリズムシート１７ｂに切欠き部５１が形成される。
【００７９】
上プリズムシート１７ｃは、下プリズムシート１７ｂに形成された切欠き部５１に重なる部分が、下プリズムシート１７ｂに形成された切欠き部５１から露出した拡散シート１７ａに接触することとなる。
【００８０】
また、上プリズムシート１７ｃにおける下プリズムシート１７ｂに形成された切欠き部５１に重なる部分が、切欠き部５１に落ち込んで、下プリズムシート１７の舌部６０と面一となる。
【００８１】
これにより、入光側面４０ｃ側の端部の上プリズムシート１７ｃおよび下プリズムシート１７ｂにおいて、遮光シート２０ａが接合される面を、入光側面４０ｃに沿って平坦にすることができ、遮光シート２０ａとの固定強度が向上する。
【００８２】
次に、図７に示す上プリズムシート１７ｃおよび下プリズムシート１７ｂを適用した面状照明装置１の変形例について説明する。第２変形例に係る面状照明装置１ｂでは、入光楔部４１を備えない導光板４０の出射面４０ａに配置される光学シート１７のうち上プリズムシート１７ｃおよび下プリズムシート１７ｂが、図７に示す上プリズムシート１７ｃおよび下プリズムシート１７ｂである。
【００８３】
かかる面状照明装置１ｂについて図８および図９を用いて説明する。図８は、図７のＢ−Ｂ線断面部分における第２変形例に係る面状照明装置１ｂの断面模式図である。図９は、図７のＣ−Ｃ線断面部分における第２変形例に係る面状照明装置１ｂの断面模式図である。なお、図２および図７に示す構成要素と同様の機能を有する構成要素については、図２および図７に示す符号と同一の符号を示すことにより、その説明を省略する。
【００８４】
図８に示すように、図７のＢ−Ｂ線断面部分における遮光シート２０ａは、Ｚ軸負方向側の一方の粘着面が切欠き部５１に落ち込んだ部分の上プリズムシート１７ｃと上プリズムシート１７ｃにおける切欠き部５０の周辺領域とに貼り付けられる。
【００８５】
また、図９に示すように、図７のＣ−Ｃ線断面部分における遮光シート２０ａは、切欠き部５０から露出する下プリズムシート１７ｂ（舌部６０）と、上プリズムシート１７ｃにおける切欠き部５０の周辺領域とに貼り付けられる。
【００８６】
つまり、第２変形例に係る面状照明装置１ｂでは、遮光シート２０ａが、面一となった切欠き部５０から露出する下プリズムシート１７ｂ（舌部６０）と切欠き部５１に落ち込んだ部分の上プリズムシート１７ｃとに貼り付けられる。
【００８７】
これにより、第２変形例に係る面状照明装置１ｂでは、遮光シート２０ａによって入光側面４０ｃ側の端部の上プリズムシート１７ｃおよび下プリズムシート１７ｂを一体的に強固に固定することができる。
【００８８】
つまり、第２変形例に係る面状照明装置１ｂにおいても、上述同様に、上プリズムシート１７ｃと下プリズムシート１７ｂとが遮光シート２０ａによって固定されるため、光学シート１７を確実に固定することができる。
【００８９】
次に、第３変形例に係る面状照明装置１ｃについて説明する。第３変形例に係る面状照明装置１ｂでは、入光楔部４１を備える導光板４０の出射面４０ａに配置される光学シート１７のうち上プリズムシート１７ｃおよび下プリズムシート１７ｂが、図７に示す上プリズムシート１７ｃおよび下プリズムシート１７ｂである。
【００９０】
かかる面状照明装置１ｃについて図１０および図１１を用いて説明する。図１０は、図７のＢ−Ｂ線断面部分における第３変形例に係る面状照明装置１ｃの断面模式図である。図１１は、図７のＣ−Ｃ線断面部分における第３変形例に係る面状照明装置１ｃの断面模式図である。なお、図５および図７に示す構成要素と同様の機能を有する構成要素については、図５および図７に示す符号と同一の符号を示すことにより、その説明を省略する。
【００９１】
図１０に示すように、図７のＢ−Ｂ線断面部分における遮光シート２０ａは、Ｚ軸負方向側の一方の粘着面が、両面テープ１８によってＺ軸正方向側へ盛り上げられた部分の拡散シート１７ａと切欠き部５１に落ち込んだ部分の上プリズムシート１７ｃと上プリズムシート１７ｃにおける切欠き部５０の周辺領域とに貼り付けられる。
【００９２】
また、図１１に示すように、図７のＣ−Ｃ線断面部分における遮光シート２０ａは、Ｚ軸負方向側の一方の粘着面が、両面テープ１８によってＺ軸正方向側へ盛り上げられた部分の拡散シート１７ａと切欠き部５０から露出する下プリズムシート１７ｂ（舌部６０）と上プリズムシート１７ｃにおける切欠き部５０の周辺領域とに貼り付けられる。
【００９３】
つまり、第３変形例に係る面状照明装置１ｃにおいても、遮光シート２０ａが、面一となった切欠き部５０から露出する下プリズムシート１７ｂ（舌部６０）と切欠き部５１に落ち込んだ部分の上プリズムシート１７ｃとに貼り付けられる。
【００９４】
これにより、第３変形例に係る面状照明装置１ｃにおいても、遮光シート２０ａによって入光側面４０ｃ側の端部の上プリズムシート１７ｃおよび下プリズムシート１７ｂを一体的に強固に固定することができる。
【００９５】
つまり、第３変形例に係る面状照明装置１ｂにおいても、上述同様に、上プリズムシート１７ｃと下プリズムシート１７ｂとが遮光シート２０ａによって固定され、拡散シート１７ａが両面テープ１８と遮光シート２０ａによって固定されるため、光学シート１７を確実に固定することができる。
【００９６】
なお、上述の実施形態では、３つの光学シート１７ａ，１７ｂ，１７ｃを用いたが、光学シートの数はこれに限られず、光学シートを、例えば、４つ用いてもよい。
【００９７】
かかる４つの光学シートとしては、例えば、反射偏向シート、拡散シート、下プリズムシート、上プリズムシートを挙げることができる。これら４つの光学シートは、導光板の出射面側からこの順に積層される。
【００９８】
かかる場合、切欠き部が拡散シートと下プリズムシートと上プリズムシートとに各々形成されることになる。具体的には、切欠き部は、各シートおいて同じ位置に形成されるのではなく、各シートにおいて互い違いになるように形成される。
【００９９】
かかる場合であっても、遮光シートによって拡散シート、下プリズムシートおよび上プリズムシートを一体的に固定することができ、各光学シートを確実に固定することができる。
【０１００】
また、上述の実施形態では、上プリズムシート１７ｃと下プリズムシート１７ｂとを２枚重ね合わせて光の偏向を変えているが、上プリズムシート１７ｃの機能と下プリズムシート１７ｂの機能とを合わせ持った１つの光学シートを用いてもよい。かかる光学シートとしては、下プリズムシート１７ｂの機能を持った層と接着層と上プリズムシート１７ｃの機能を持った層とがこの順に積層された光学シートが挙げられる。
【０１０１】
そして、かかる光学シートに切欠き部５０が形成されて、遮光シート２０ａが、切欠き部５０から露出する拡散シート１７ａと切欠き部５０が形成された上記の光学シートとを覆うようにして貼り付けられる。
【０１０２】
また、上述の実施形態では、遮光シート２０ａで、切欠き部５０から露出する下プリズムシート１７ｂと切欠き部５０が形成された上プリズムシート１７ｃとを覆っているが、この形態に限られない。
【０１０３】
他の形態としては、ＦＰＣ１２の上面を覆う遮光シート２０ｂを遮光シート２０ａの有効領域３０側の端部まで伸ばし、遮光シート２０ａと遮光シート２０ｂとの２層からなるシートで、切欠き部５０から露出する下プリズムシート１７ｂと切欠き部５０が形成された上プリズムシート１７ｃとを覆うようにしてもよい。かかる形態であっても、上述と同様の作用効果を得ることができる。
【０１０４】
また、上記実施の形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【０１０５】
１、１ａ、１ｂ、１ｃ  面状照明装置
１１  ＬＥＤ
１２  ＦＰＣ
１７  光学シート
１７ａ  拡散シート
１７ｂ  下プリズムシート
１７ｃ  上プリズムシート
２０ａ、２０ｂ、２１  遮光シート
３０  有効領域
４０  導光板
４０ａ  出射面
４０ｂ  反射面
４０ｃ  入光側面
５０、５１  切欠き部
６０、６１  舌部
【図１】
2018098132.tif 000003
【図２】
2018098132.tif 000004
【図３】
2018098132.tif 000005
【図４】
2018098132.tif 000006
【図５】
2018098132.tif 000007
【図６】
2018098132.tif 000008
【図７】
2018098132.tif 000009
【図８】
2018098132.tif 000010
【図９】
2018098132.tif 000011
【図１０】
2018098132.tif 000012
【図１１】
2018098132.tif 000013